(57)【要約】【課題】建築物等の各種組立構造体やその模型・玩具の内装や外装や床面、或いはレイアウトや外観そのものを容易に変更することを可能とする。【解決手段】一体の支持芯材１ａ，２ａの表裏両面に対して任意の被覆化粧板１ｂ，１ｃ，２ｂ，２ｃを取り替え可能に装着することによって所望の組立要素１，２を形成し、それら複数体の組立要素１，２どうしを任意の連結状態で組み立て可能としたことにより、複数体の組立要素１，２を組み立てた後に各組立要素１，２を構成している被覆化粧板１ｂ，１ｃ，２ｂ，２ｃの取り替えが任意に行われ、内外装等の変更が容易化されるとともに、各組立要素１，２どうしの連結関係が適宜に変更されることにより組立構造体全体のレイアウトや外観等が容易に変更されるように構成したもの。【選択図】図２
2008169637.tif 000002
【特許請求の範囲】
【請求項１】
適宜に連結された複数の組立要素の集合体からなる組立構造体において、
前記複数の各組立要素は、略平板状をなすように形成された支持芯材と、その支持芯材の表裏両面のそれぞれに対して取り替え可能に装着される被覆化粧板と、を有し、
一体の組立要素を構成している前記支持芯材が、他の組立要素の支持芯材に対して互いに連結・離反可能となるように構成されていること特徴とする組立構造体。
【請求項２】
前記組立要素が、建築物又はその模型・玩具における内外壁面又は床面又は立壁面又は天井面又は屋根面を構成するものであることを特徴とする請求項１記載の組立構造体。
【請求項３】
前記支持芯材の複数体が可動連結部を介して一体的に成形され、
それら複数体の支持芯材の可動連結部が、隣接する支持芯材どうしの連結角度を変更可能とする回動手段により構成されていることを特徴とする請求項１記載の組立構造体。
【請求項４】
前記支持芯材が適宜の樹脂材から形成されているとともに、
前記可動連結部の回動手段は、前記支持芯材と一体的に成形された薄肉状の樹脂片から形成されていることを特徴とする請求項３記載の組立構造体。
【発明の詳細な説明】
【技術分野】
【０００１】
本発明は、建築物等の各種構造体やそれらの模型・玩具を複数体の組立要素の集合体により構成した組立構造体に関する。
【背景技術】
【０００２】
一般に、住宅などの建築物等の各種構造体や、それらの模型・玩具においては、それらの組立を可能とするために、予め定められた部位に対して特定の形状を有する構造部材がそれぞれ使用されており、それらの固定的な構造部材を予め定められた配置で連結することによって全体の組立て行うようにしている。
【０００３】
しかしながら、上述したような従来の組立構造体では、全体の組立を一旦完了すると、その後に内装や外装を構成している被覆化粧板を変更したり、床面等を構成している構造部材を変更しようとすると、当該変更部分のみならず他の部分を相当の範囲にわたって分解又は解体しなければならない。特に、建築物等の各種組立構造体やその模型・玩具が元々備えているレイアウトや外観そのものを異なるものに変更することはほとんど不可能になっている。
【０００４】
【特許文献１】特開２００６−３４２６５８号公報
【発明の開示】
【発明が解決しようとする課題】
【０００５】
そこで本発明は、内装や外装を構成している内外壁面や、床面・天井面等を構成している各構造部材や、全体のレイアウト又は外観等を、容易に変更することができるようにした組立構造体を提供することを目的とする。
【課題を解決するための手段】
【０００６】
上記目的を達成するため本発明にかかる組立構造体では、適宜に連結された複数の組立要素の集合体からなる組立構造体において、前記複数の各組立要素は、略平板状をなすように形成された支持芯材と、その支持芯材の表裏両面のそれぞれに対して取り替え可能に装着される被覆化粧板とを有し、一体の組立要素を構成している前記支持芯材が、他の組立要素の支持芯材に対して互いに連結・離反可能となるように構成されている。
【０００７】
このような構成を有する本発明にかかる組立構造体によれば、まず一体の支持芯材の表裏両面に対して任意の被覆化粧板が内外から装着されることによって所望の模様、色彩又は形状を有する組立要素が形成され、その後に、それら複数体の組立要素どうしが任意の連結状態で組み立てられる。そして、それらの組立要素が組み立てられた後においても、各組立要素を構成している被覆化粧板の取り替えが容易に行われることによって内外装の変更が容易に行われるとともに、各組立要素どうしの連結関係が適宜に変更されることによって、全体のレイアウトや外観等が容易に変更されるようになっている。
【０００８】
また、本発明にかかる組立構造体では、前記組立要素が、建築物又はその模型・玩具における内外壁面又は床面又は立壁面又は天井面又は屋根面を構成するようになすことが可能である。
【０００９】
このような構成を有する本発明にかかる組立構造体によれば、各組立要素を構成している被覆化粧板の取り替えが行われることによって建築物又はその模型・玩具の内外壁面又は床面又は立壁面又は天井面又は屋根面の模様、色彩又は形状等が容易に変更されるようになっている。
【００１０】
また、本発明にかかる組立構造体では、前記支持芯材の複数体が可動連結部を介して一体的に成形され、それら複数体の支持芯材の可動連結部が、隣接する支持芯材どうしの連結角度を変更可能とする回動手段により構成するようなすことが可能である。
【００１１】
このような構成を有する本発明にかかる組立構造体によれば、隣接する支持芯材どうしの連結角度が、回動手段により形成された可動連結部を介して任意に設定されるようになっている。
【００１２】
また、本発明にかかる組立構造体では、前記支持芯材が適宜の樹脂材から形成されているとともに、前記可動連結部の回動手段は、前記支持芯材と一体的に成形された薄肉状の樹脂片から形成されたものとすることが可能である。
【００１３】
このような構成を有する本発明にかかる組立構造体によれば、隣接する支持芯材どうしを回動可能とする回動手段が樹脂材により支持芯材と一体的に形成されるため、部品点数が低減されるなどよって良好な生産性が得られるようになっている。
【発明の効果】
【００１４】
以上のように本発明は、一体の支持芯材の表裏両面に対して任意の被覆化粧板を取り替え可能に装着することにより所望の組立要素を形成し、それら複数体の組立要素どうしを任意の連結状態で組み立て可能とすることによって、複数体の組立要素を組み立てた後においても各組立要素を構成している被覆化粧板の取り替えが任意に行われることとなり、内外装の変更が容易化されるとともに、各組立要素どうしの連結関係が適宜に変更されることによって組立構造体の全体のレイアウトや外観等が容易に変更される構成になされたものであるから、内装や外装を構成している被覆化粧板や床面、又は全体のレイアウト或いは外観等を容易に変更することができ、建築物等の各種構造物やそれらの模型・玩具等の組立構造体に関する各部位の変更を容易かつ効率的に行うことができ、組立構造体有用性を大幅に高めることができる。
【発明を実施するための最良の形態】
【００１５】
以下、本発明を住宅の建築シミュレーション用模型に適用した場合の実施形態を図面に基づいて詳細に説明する。
【００１６】
すなわち、図１に示された実施形態にかかる住宅の建築シミュレーション用模型においは、複数体の組立要素１，２が適宜に連結されることによって所望の外観又はレイアウトを有する住宅構造体の模型が組み立てられている。より具体的には、当該住宅構造体の模型を構成している複数体の組立要素１，２は、図２に示されている立壁用組立要素１と、図５に示されている床壁用組立要素２とから構成されており、それらの立壁用組立要素１及び床壁用組立要素２どうしが複数体にわたって適宜に連結された集合体により所望の住宅組立構造体模型が形成されている。
【００１７】
このとき、上述した各々の組立要素１，２は、略平板状をなすように形成された一体の支持芯材１ａ及び２ａを備えているとともに、その一体の支持芯材１ａ及び２ａの表裏両面に対して、二体の内装被覆化粧板１ｂ，２ｂ及び外装被覆化粧板１ｃ，２ｃが取り替え可能にそれぞれ装着されるように構成されており、前記支持芯材１ａ及び２ａに対して、前記内装被覆化粧板１ｂ，２ｂ及び外装被覆化粧板１ｃ，２ｃを装着された立壁用組立要素１及び床壁用組立要素２の複数体のものが、上下左右の外周端縁において互いに連結又は離間可能となるように構成されている。
【００１８】
上述したように立壁用組立要素１及び床壁用組立要素２の複数体を互いに連結・離間可能とするにあたって、本実施形態においては、まず図３に示されているように、一対の立壁用組立要素１，１によって一組の壁用芯材ユニットが構成されている。この一組の壁用芯材ユニットを構成している一対の支持芯材１ａ，１ａどうしは、当該支持芯材１ａ，１ａと一体的に形成された可動連結部１ｄを介して一体的に繋げられている。
【００１９】
すなわち、その壁用芯材ユニットを構成している一対の立壁用支持芯材１ａ，１ａ及び可動連結部１ｄは、適宜の樹脂材によって一体的に形成されたものであり、当該壁用芯材ユニットにおいて隣接する一対の立壁用支持芯材１ａ，１ａどうしの境界部分に配置された上記可動連結部１ｄは、上記両立壁用支持芯材１ａ，１ａの間で回動手段を構成するように薄肉状の樹脂片から形成されている。そして、その回動手段を構成している可動連結部１ｄを縦長の軸中心として、隣接する一対の立壁用支持芯材１ａ，１ａどうしが略水平面内において互いに回動可能となるように配置されており、それによって、例えば図４に示されているように上記両立壁用支持芯材１ａ，１ａどうしの間に形成される角度θが、例えば９０°までの範囲に任意の角度で変更可能となっている。
【００２０】
なお、上述した可動連結部１ｄは、一対の立壁用支持芯材１ａ，１ａどうしの間に設けられているが、必要に応じて一枚の立壁用支持芯材１ａごとに設けることも可能である。また、本実施形態では、上述した壁用芯材ユニットからなる立壁用組立要素１の他に、単独の立壁用支持芯材１ａを用いた立壁用組立要素１も採用されている。
【００２１】
さらに、上述した壁用芯材ユニットを構成している一対の立壁用支持芯材１ａ，１ａの各々には、それらの各立壁用支持芯材１ａにおける水平方向の両側端面、及び鉛直方向の上下端面に、適宜の凹凸嵌合機構からなるジョイント部材１ｅが設けられており、それらのジョイント部材１ｅを介して他の壁用芯材ユニットが適宜に連結され又は離反されるようになっている。そして、例えば図２及び図４に示されているように、一つの壁用芯材ユニットを構成している一対の立壁用支持芯材１ａ，１ａどうしが略直角の関係をなすようにして配置された後、その壁用芯材ユニットに対して他の壁用芯材ユニットが左右上下のいずれかから連結されるようになっている。
【００２２】
さらに、それらの各壁用芯材ユニットを構成している支持芯材１ａの表裏両面には、内装被覆化粧板１ｂ及び外装被覆化粧板１ｃが取り付けられるが、それらの内装被覆化粧板１ｂ及び外装被覆化粧板１ｃは、例えばピン及びその嵌合穴等からなる複数体の固定部材１ｆによって上記支持芯材１ａに対して着脱自在となるように構成されており、多種多様な模様、色彩又は形状を有する内装被覆化粧板１ｂ及び外装被覆化粧板１ｃが適宜に選択された後に、それらが上記支持芯材１ａの表裏面に対して交換可能に装着され、又は支持芯材１ａから離反されて他のものに取り替えられるようになっている。
【００２３】
このとき、上述した立壁用組立要素１は、特に図１に示されているように、窓１ｇや、ドア１ｈや、図示を省略したシャッター等を備えた固有の外観を有するものとして形成することが可能である。
【００２４】
一方、図５に示されている床壁用組立要素２は、床面や天井面又は屋根面を構成するものであるが、平板状部材からなる前記支持芯材２ａの各端縁部分にジョイント凹部２ｄがそれぞれ切欠き形状をなすように成形されているとともに、それらの各ジョイント凹部２ｄに嵌合可能なジョイント部材２ｅを介在して、複数体の支持芯材２ａどうしが互いに連結又は離反可能となるように構成されている。
【００２５】
このような床壁用組立要素２の支持芯材２ａには、その上下（表裏）両面に対して内装被覆化粧板２ｂ及び外装被覆化粧板２ｃが、例えばピン及びその嵌合穴等からなる固定部材２ｆを用いて着脱自在に装着されており、多種多様な模様、色彩又は形状を有する内装被覆化粧板２ｂ及び外装被覆化粧板２ｃが適宜に選択された後に、それらが上記支持芯材２ａに対して装着され、又は離反されて他のものに取り替えられるようになっている。
【００２６】
このように本実施形態によれば、まず所望の模様、色彩又は形状を有する内装被覆化粧板１ｂ，２ｂ及び外装被覆化粧板１ｃ，２ｃが適宜に選択された後に、それらが一体の支持芯材１ａ及び２ａの表裏両面に対してそれぞれ装着され、それによって所望の模様、色彩又は形状を有する複数体の組立要素１，２が形成される。次いで、それら複数体の組立要素１，２が互いに任意の連結状態で組み立てられていくことで、所望の外観又はレイアウトを有する住宅組立構造体の模型が組み立てられる。
【００２７】
一方、上述した各組立要素１，２が一旦組み立てられた後においても、それらの各組立要素１，２を構成している内装被覆化粧板１ｂ，２ｂ及び外装被覆化粧板１ｃ，２ｃの取り替えが容易に行われることから、内外壁面又は床面又は天井面等における模様、色彩、形状等変更が容易に行われる。また、各組立要素１，２どうしの連結関係が適宜に変更されることによって、住宅組立構造体の模型のレイアウトや外観等が容易に変更されるようになっている。
【００２８】
さらに本実施形態においては、隣接する支持芯材１ａ，１ａどうしの配置角度が回動手段として形成された可動連結部１ｄを介して任意に設定されることから、より多彩な変更が可能となっている。
【００２９】
さらにまた本実施形態によれば、隣接する支持芯材１ａ，１ａどうしを回動可能とする回動手段として形成された可動連結部１ｄが樹脂材により支持芯材１ａ，１ａ一体形成されているため、部品点数が低減されるなどよって良好な生産性が得られるようになっている。
【００３０】
以上、本発明者によってなされた発明の実施形態を具体的に説明したが、本発明は上述した実施形態に限定されるものではなく、その要旨を逸脱しない範囲で種々変形可能であることはいうまでもない。
【００３１】
例えば、上述した壁用芯材ユニットにおける一対の支持芯材１ａ及び可動連結部１ｄ材は、上述した実施形態のようにそれらを一体成形したものに限定されることはなく、一対の支持芯材１ａの可動連結部分に別個に形成された回動連結機構を装着することも可能である。また、上述した実施形態における壁用芯材ユニットは、三体以上の立壁用支持芯材１ａを連結したものとすることも可能である。
【００３２】
また、上述した実施形態は一階層部分を構築する場合のものであるが、例えば図６に示されているように、一階層部分Ａの上に適宜の大きさの二階層部分Ｂを連結することも可能である。本図の場合には、二階層部分Ｂの上端開口部に屋根材を構成する外装被覆化粧板１２ｃが取り付けられているが、二階層部分Ｂの上に、図示を省略した三階層部分を構築するなどによって上方向に積み上げていくことができる。
【００３３】
さらにまた、上述した実施形態は、住宅の建築シミュレーション用模型に本発明を適用したものであるが、その他ビルなどの建築物等の組立構造体の模型・玩具、又は実物の建築物等の多種多様な組立構造体に対しても同様に適用することができる。
【産業上の利用可能性】
【００３４】
以上述べたように本発明は、住宅やビルなどの建築物等の多種多様な組立構造体またはそれらの模型・玩具に対して広く適用することが可能である。
【図面の簡単な説明】
【００３５】
【図１】本発明の一実施形態における住宅の建築シミュレーション用模型の部分組立状態を表した外観斜視説明図である。
【図２】図１に表された住宅の建築シミュレーション用模型の立壁部分の一部を拡大して表した分解斜視説明図である。
【図３】壁用芯材ユニットの構造を表した外観斜視説明図である。
【図４】図３に表された壁用芯材ユニットにおける一対の支持芯材どうしの角度調整状態を表した平面説明図である。
【図５】図１に表された住宅の建築シミュレーション用模型の床部分の一部を拡大して表した分解斜視説明図である。
【図６】二階層構造とした実施形態における住宅の建築シミュレーション用模型の部分組立状態を表した外観斜視説明図である。
【符号の説明】
【００３６】
１  立壁用組立要素
１ａ  支持芯材
１ｂ  内装被覆化粧板
１ｃ  外装被覆化粧板
１ｄ  可動連結部
１ｅ  ジョイント部材
１ｆ  固定部材
２  床壁用組立要素
２ａ  支持芯材
２ｂ  内装被覆化粧板
２ｃ  外装被覆化粧板
２ｄ  ジョイント凹部
２ｅ  ジョイント部材
２ｆ  固定部材
Ａ  一階層部分
Ｂ  二階層部分
１２ｃ  外装被覆化粧板（屋根材）
【図１】
2008169637.tif 000003
【図２】
2008169637.tif 000004
【図３】
2008169637.tif 000005
【図４】
2008169637.tif 000006
【図５】
2008169637.tif 000007
【図６】
2008169637.tif 000008